(57)【要約】      （修正有）【課題】結婚式などの儀式に華やかさを醸し出すとともに、その華やかさを長続きさせることのできる噴出体発射器を提供する。【解決手段】噴出体発射器１は、噴出用開口２Ｄを有する筒状本体２の内部に、筒状本体に設けられたトリガ６の作動により圧力気体を放出する気体放出機構７と、気体放出機構から放出された圧力気体によって噴出用開口から噴き出される噴出体１３とを収容して成り、噴出体が折り鶴８を含んでいる。また、筒状本体内にボンベ室４Ａが形成され、ボンベ室の一端開口部４Ｂの下流側に気体放出機構が配備され、ボンベ室の他端開口部４Ｃに圧力気体ボンベ２８の末端部２８Ｂを保持する蓋部材１７が着脱可能に固定され、トリガが気体放出機構を作動させて圧力気体ボンベの口金２８Ｃを先端突起１５により破断させるようになっている。【選択図】図２
0003193851.tif 000002
【実用新案登録請求の範囲】
【請求項１】
噴出用開口を有する筒状本体の内部に、筒状本体に設けられたトリガの作動により圧力気体を放出する気体放出機構と、気体放出機構から放出された圧力気体によって噴出用開口から噴き出される噴出体と、を収容して成り、前記噴出体が折り鶴を含んでいることを特徴とする噴出体発射器。
【請求項２】
筒状本体内に、圧力気体を封入した圧力気体ボンベを格納するボンベ室が形成され、ボンベ室の一端開口部の気体放出方向下流側に、圧力気体ボンベの一端部を蓋っている口金を破断して圧力気体を放出させる気体放出機構が配備され、ボンベ室の他端開口部に、当該他端開口部からボンベ室内に格納された圧力気体ボンベの末端部を保持する蓋部材が着脱可能に固定されるとともに、筒状本体に設けられたトリガが気体放出機構を作動させて圧力気体ボンベの口金を破断させるように構成されている請求項１に記載の噴出体発射器。
【請求項３】
折り鶴が、翼を広げた形態で筒状本体内に収容されていることを特徴とする請求項１または請求項２に記載の噴出体発射器。
【請求項４】
筒状本体が、銃身、バズーカ砲身、キャノン砲身、または打上げ花火の竪筒のいずれかひとつの形状に形成されていることを特徴とする請求項１から請求項３までにいずれか一項に記載の噴出体発射器。
【考案の詳細な説明】
【技術分野】
【０００１】
本考案は、結婚式などの儀式で華やかさを醸し出すための噴出体発射器に関するものである。
【背景技術】
【０００２】
従来、結婚式などでは、豊穣および子孫繁栄を願うために米粒を新郎新婦に降りかけるライスシャワーや、新郎新婦を引立てて華やかさを醸し出すために生花の花びらを降りかけるフラワーシャワー、あるいはシャボン玉シャワーなどの演出が行なわれている。そのうちのフラワーシャワーでは、花びらが水分を含んでいるために速く落下して滞空時間が短いことから、華やかさが長続きしないという難点がある。シャボン玉シャワーでは、はじけた後に生じた液滴で会場の床が濡れてしまい後始末が大変である。一方、ライスシャワーでは精白米が用いられるが、直ちに落下してしまうし、白色であるために見た目が煌びやかでない。
そこで、下記の特許文献１に示されるような、適宜色に着色した儀式用米の使用が提案されている。この儀式用米を使用すると、儀式に彩りが添えられ華やかさが演出されるとされている。
【先行技術文献】
【特許文献】
【０００３】
【特許文献１】特開２００２−６２０９６号公報
【考案の概要】
【考案が解決しようとする課題】
【０００４】
しかしながら、前記した儀式用米であっても、嵩密度が比較的大きいために落下が速く滞空時間が短いので華やかさが長続きしないこと、食材であるために勿体無さを感じさせること、多数の小粒であることから事後の掃除作業が大変であることという不具合があった。
【０００５】
本考案は、上記した従来の問題点に鑑みてなされたものであって、結婚式などの儀式に華やかさを醸し出すとともに、その華やかさを長続きさせることのできる噴出体発射器の提供を目的とする。
【課題を解決するための手段】
【０００６】
上記目的を達成するために、本考案に係る噴出体発射器は、噴出用開口を有する筒状本体の内部に、筒状本体に設けられたトリガの作動により圧力気体を放出する気体放出機構と、気体放出機構から放出された圧力気体によって噴出用開口から噴き出される噴出体と、を収容して成り、前記噴出体が折り鶴を含んでいる構成にしてある。
【０００７】
また、前記構成において、筒状本体内に、圧力気体を封入した圧力気体ボンベを格納するボンベ室が形成され、ボンベ室の一端開口部の気体放出方向下流側に、圧力気体ボンベの一端部を蓋っている口金を破断して圧力気体を放出させる気体放出機構が配備され、ボンベ室の他端開口部に、当該他端開口部からボンベ室内に格納された圧力気体ボンベの末端部を保持する蓋部材が着脱可能に固定されるとともに、筒状本体に設けられたトリガが気体放出機構を作動させて圧力気体ボンベの口金を破断させるように構成されているものである。
【０００８】
そして、前記した各構成において、折り鶴が翼を広げた形態で筒状本体内に収容されているものである。
【０００９】
更に、前記した各構成において、筒状本体が、銃身、バズーカ砲身、キャノン砲身、または打上げ花火の竪筒のいずれかひとつの形状に形成されているものである。
【考案の効果】
【００１０】
本考案に係る噴出体発射器によれば、気体放出機構から放出された圧力気体によって噴出用開口から噴き出される噴出体として、折り鶴が筒状本体内に収容されているので、トリガが操作されると、噴出用開口から折り鶴が噴き出される。折り鶴の形態は、一般的に、美しさと長寿祈願と縁起良さを想起させ、結婚式などの儀式で華やかさを醸し出すのに好適である。また、折紙で折られている折り鶴は嵩密度が大きすぎず小さくもなく噴出動作および滞空動作に適しているので、円滑に噴き出されるうえ着地までに時間がかかる。そのために、華やいだ雰囲気を一瞬でなく長時間保持することができる。加えて、事後の後始末も楽であり短時間で済むという利点がある。
【００１１】
また、筒状本体内にボンベ室が形成され、ボンベ室の一端開口部の気体放出方向下流側に気体放出機構が配備され、ボンベ室の他端開口部に圧力気体ボンベの末端部を保持する蓋部材が固定されているものでは、トリガの操作により、気体放出機構が作動して圧力気体ボンベの口金を破断させるので、圧力気体ボンベを利用した簡素な構成を採用することができ、安全な圧力の範囲内でありながら比較的高い圧力のガスを用いて、噴出体を大空高く噴き上げることができる。
【００１２】
そして、折り鶴が翼を広げた形態で筒状本体内に収容されているものでは、噴出用開口からの噴き出された後に、広げた翼の作用により空中をゆっくりと降下していくため、比較的長時間滞空できる。これにより、よりいっそう長時間、華やいだ雰囲気を保持することができる。
【００１３】
更に、噴出体発射器は、筒状本体が、銃身、バズーカ砲身、キャノン砲身、または打上げ花火の竪筒の形状に形成されるので、クラッカー形のものと比べて大型に形成されるから、多くの折り鶴を含む大量の噴出体を噴出することができ、そのうえ打ち上げる人は強い発射の実感を楽しむことができる。
【図面の簡単な説明】
【００１４】
【図１】本考案の一実施形態に係る噴出体発射器の各部品を示す分解側面図である。
【図２】前記噴出体発射器を示す側断面図である。
【図３】前記噴出体発射器の噴出用開口から噴出物を噴出させた動作を示す動作説明図である。
【図４】前記噴出体発射器を用いて結婚式を盛り上げている状態を示す状態説明図である。
【図５】本考案の別の実施形態に係る噴出体発射器を示す側面図である。
【図６】本考案の他の実施形態に係る噴出体発射器の一部断面を含む側面図である。
【図７】本考案の更に別の実施形態に係る噴出体発射器を示す斜視図である。
【考案を実施するための形態】
【００１５】
本考案の実施形態を図面に基づいて説明する。尚、以下に述べる実施形態は本考案を具体化した一例に過ぎず、本考案の技術的範囲を限定するものでない。図１は本考案の一実施形態に係る噴出体発射器の各部品を示す分解側面図、図２は前記噴出体発射器を示す側断面図である。
各図において、この実施形態に係る噴出体発射器１は、先端部２Ａに噴出用開口２Ｄを有する筒状本体２と、筒状本体２内に収容された気体放出機構７と、筒状本体２内に収容された噴出体１３と、炭酸ガスなどの圧力気体が充填された圧力気体ボンベ２８と、筒状本体２の末端開口を蓋止する蓋部材１７と、止めピン３０と、を備えている。
【００１６】
前記の筒状本体２は、全体が側面視で「への字」筒状に形成されていて気体放出機構７を内蔵した操作用筒部３と、操作用筒部３の末端開口にＯ−リングＲを介して螺着され筒内にボンベ室４Ａが形成されている格納用筒部４と、操作用筒部３の先端の差込口３ＣにＯ−リングＲを介して着脱可能に装着され筒内に噴出体室１１が形成されている円筒状の噴出体収容筒５と、から構成されている。これらの操作用筒部３、格納用筒部４、および噴出体収容筒５が組み付けられることにより、筒状本体２は側面から視て銃身の形状と成っている。
【００１７】
前記の操作用筒部３は、末端側に円筒状の移動用空間３Ａが形成されている。移動用空間３Ａの先端側は、側面視で湾曲した通気路３Ｂとつながっている。通気路３Ｂの先端側は円筒状の差込口３Ｃとつながっている。差込口３Ｃの途中には、突出ピン３１が突設されている。
【００１８】
前記の格納用筒部４は円筒状に形成されていて、他端開口部４Ｃに雌ネジ部４Ｄが形成されている。この雌ネジ部４Ｄには、蓋部材１７の雄ネジ部１７Ａが螺止される。格納用筒部４の一端開口部４Ｂの先端側は雌ネジ部となっており操作用筒部３の末端側の雄ネジ部とＯ−リングＲを介して螺着されている。一端開口部４Ｂは、圧力気体ボンベ２８先端側の肩部を保持でき、且つ、口金４Ｃを通せるようにボンベ室４Ａよりも小径に形成されている。
【００１９】
前記の噴出体収容筒５は、円筒状の筒状容器５Ａと、筒状容器５Ａの末端側に一体に形成された小径の差込筒部５Ｂと、から構成されている。差込筒部５Ｂの末端側開口は導気口５Ｃとなっている。差込筒部５Ｂの外周面には、操作用筒部３の止めピン３１と係合する略Ｌの字状の係止用溝５Ｄが形成されている。筒状容器５Ａ内において差込筒部５Ｂとの境目の開口部は、薄板紙１８で蓋止されている。筒状容器５Ａの先端側は噴出用開口２Ｄとなっている。この噴出用開口２Ｄ近傍の筒状容器５Ａ内には、蓋板１０が装着されている。そして、筒状容器５Ａ内において、蓋板１０と薄板紙１８との間は、噴出体１３を収容する噴出体室１１とされている。前記の薄紙板１８は、気体放出機構７により放出された噴出体１３により破れ得る紙材などで構成されている。前記の蓋板１０も、火気体放出機構７により放出された噴出体１３により破れ得る薄い発泡スチロールなどで構成されている。
【００２０】
そうして、前記した操作用筒部３の差込口３Ｃの下方位置には、左右の支持板部２４，２４が垂設され、これら支持板部２４，２４の間にトリガ６が配備されている。トリガ６は、支持板部２４，２４間に架設された枢支軸２９に前後揺動自在に軸支されている。トリガ６の先端は押しバネ２３により前向きに弾性付勢されている。トリガ６の末端は枢軸２１を介して係止ロッド２５と連結されている。トリガ６の途中には、予期せぬ暴発防止用の安全ピン３０が挿通されるピン穴２２が形成されている。係止ロッド２５の先端は移動用空間３Ａ内に出没自在に配置され、移動子１４の係合突起１４Ａと係脱自在に係合するようになっている。移動子１４は移動用空間３Ａ内で筒芯方向移動自在に格納され押しバネ１６により格納用筒部４に向かう方向（矢印Ｄの方向）に付勢されている。移動子１４の先端には尖端突起１５が設けられている。尖端突起１５の先端は、ボンベ室４Ａにセットされた圧力気体ボンベ２８の口金２８Ｃと対面している。前記のような各部品から、気体放出機構７が構成される。
【００２１】
前記の格納用筒部４内には、圧力気体を封入した圧力気体ボンベ２８を格納するボンベ室４Ａが形成されている。ボンベ室４Ａの他端開口部４Ｃには、この他端開口部４Ｃからボンベ室４Ａ内に格納された圧力気体ボンベ２８の末端部２８Ｂを保持する蓋部材１７が着脱可能に固定される。ボンベ室４Ａの一端開口部４Ｂの気体放出方向下流側（矢印Ｒの反対方向）にある操作用筒部３内には、圧力気体ボンベ２８の一端部２８Ａを蓋っている口金２８Ｃを破断して圧力気体を放出させる尖端突起１５を有する気体放出機構７が配備されている。
【００２２】
前記の噴出体室１１に収容される噴出体１３としては、特に限定されないが、例えば紙吹雪片９、テープ片１２、および折り鶴８などが挙げられる。紙吹雪片９は、例えば各色の折紙を細かく切り刻んだものが用いられる。テープ片１２はコイル状に巻いておいたものでもよく、テープ面にお祝いメッセージなどが記載されている。そうして、折り鶴８は各色の折紙、複数色の折紙、多種の模様の折紙で折られて作成されている。この場合、錦織模様の折紙で折られた折り鶴８も含めておくとよい。更に、折り鶴８としては、翼８Ａ，８Ａを左右に広げた形態にされたものも多数含まれている。
【００２３】
続いて、上記のように構成された噴出体発射器１の作用を説明する。噴出体発射器１の使用に先立って、蓋部材１７が外されて格納用筒部４の他端開口部４Ｃが開放され、リセット棒１９の細径部１９Ａが挿入される。更に、細径部１９Ａが押し込まれて尖端突起１５を押し上げると、移動子１４の係合突起１４Ａが係止ロッド２５に係止されて留められる。そして、圧力気体ボンベ２８がボンベ室４Ａ内に装填され、蓋部材１７が他端開口部４Ｃに螺止される。
【００２４】
その後、噴出体１３を噴出させる際に、利用者Ｍは、図３に示されるように、噴出用開口２Ｄを上向きにした噴出体収容筒５の外周面を一方の手で持ち、他方の手をトリガ６に掛ける。そして、トリガ６が引かれると、係止ロッド２５が移動用空間３Ａから抜き出されて係合突起１４Ａが自由になり、押しバネ１６の弾性付勢力により尖端突起１５が圧力気体ボンベ２８に向かって作動し（矢印Ｄ方向）、口金２８Ｃを破断させる。これにより、圧力気体ボンベ２８の一端部２８Ａの破断開口から圧力気体が噴出する。そして、移動用空間３Ａ、通気路３Ｂ、差込口３Ｃ、および導気口５Ｃを経て噴き出された圧力気体により、筒状容器５Ａ内の薄紙板１８および蓋板１０が破断して噴出用開口２Ｄが開かれ、噴出体１３である紙吹雪片９，テープ片１２、および折り鶴８が噴出用開口２Ｄから外部に噴き出されて上方に高く飛ばされる。
【００２５】
このように作用する噴出体発射器１は、図４に示されるように、例えば教会で結婚式を終えた新郎新婦を祝うために用いられる。この場合も、噴出体発射器１から噴き出された噴出体１３中の折り鶴８，８，８，・・・が空に舞いゆっくりと降下してくるのである。これらの折り鶴８，８，８，・・・は色とりどりで模様も様々であり、彩りを添え華やかさを醸し出す。特に、錦織模様の折り鶴８は煌びやかな趣を呈して、よりいっそうの華やかさをもたらす。
【００２６】
上記したように、噴出体発射器１によれば、噴出用開口２Ｄから噴き出された折り鶴８は、結婚式などの儀式に華やかさを醸し出すことができる。また、折紙で折られた折り鶴８は噴出動作および滞空動作に適しているので、円滑に噴き出されたのちは着地までに時間を稼げるから、華やいだ雰囲気を長時間保持できる。特に、翼８Ａ，８Ａを広げた折り鶴８は空中を悠々と降下していくために長時間滞空でき、よりいっそう長い時間、華やいだ雰囲気を保持することができる。また、後始末も楽に短時間で済んだ。すなわち、この噴出体発射器１により、今までになかった好適で大量の折り鶴シャワーを実現できる。
【００２７】
格納用筒部４内のボンベ室、操作用筒部３内の気体放出機構７、および、ボンベ室４Ａの他端開口部４Ｃの蓋部材１７を備えているから、トリガ６の操作により、気体放出機構７が作動して圧力気体ボンベ２８の口金２８Ｃを破断させるので、圧力気体ボンベ２８を利用した簡素な構成を採用することができ、安全な圧力の範囲内で比較的高い圧力のガスを用いて、噴出体を大空高く噴き上げることができる。
【００２８】
尚、上記した実施形態の噴出体発射器１では、銃身状の筒状本体２を有するものを例示したが、本考案の噴出体発射器はそれに限定されるものでない。例えば、図５に示すように、側面視でバズーカ砲身を模して形成された筒状本体２ａを有する噴出体発射器１ａも本考案に含まれる。この噴出体発射器１ａでは、筒状本体２ａが、噴出体１３を収容した直管筒状の噴出体収容部５ａと、気体放出機構７を収容した直管筒状の操作用筒部３ａと、操作用筒部３ａに内蔵された格納用筒部４と、から構成されている。側面視で円弧状に形成された係止ロッド２５ａはトリガ６と一体に形成されている。尚、図５において、前記した噴出体発射器１の構成部品と同じ機能を有する部品には同じ符号を付してある。
この噴出体発射器１ａによれば、あたかもバズーカ砲を発射したような趣を与え、噴出体１３を多量に噴き出すことができる。
【００２９】
また、図６に示した噴出体発射器１ｂでは、側面視で打上げ花火の竪筒を模して形成された筒状本体２ｂが用いられる。この筒状本体２ｂは、噴出体１３を収容した直管竪筒状の噴出体収容部５ｂと、気体放出機構７を収容した直管竪筒状の操作用筒部３ｂと、操作用筒部３ｂ内に竪置きされた格納用筒部４ｂと、から構成されている。操作用筒部３ｂは基台４０の上面に立設されている。気体放出機構７は、操作用筒部３ｂの内壁に取り付けられた枢支軸４１に上下揺動自在に支持された係止ロッド３９と、係止ロッド３９の先端に一体に設けられた尖端突起１５Ｃと、尖端突起１５Ｃを押し下げる方向に弾性付勢するために係止ロッド３９につながれた引きバネ３２と、係止ロッド３９の末端部を係脱自在に係止するトリガ３３と、トリガ３３を駆動軸として出し入れ駆動させる電磁アクチュエータ３４と、電磁アクチュエータ３４の出し入れ駆動動作を制御する制御回路３５と、を備えて構成されている。制御回路３５は配線３６を介してスイッチ３８付きの操作盤３７と接続されている。尚、図６において、前記した噴出体発射器１の構成部品と同じ機能を有する部品には同じ符号を付してある。
【００３０】
この噴出体発射器１ｂによれば、図６の状態から、操作盤３７のスイッチ３８がＯＮにされると、制御回路３５は電磁アクチュエータ３４に対しトリガ３３を引き込む動作指令信号を出力する。これにより、電磁アクチュエータ３４はトリガ３３をアクチュエータケーシング内に引き込む。すると、係止ロッド３９の係止状態が解除され、引きバネ３２の弾性力により図中の広幅矢印の方向（反時計回り）に回転する。そして、尖端突起１５Ｃが圧力気体ボンベ２８の口金２８Ｃを破断し、圧力気体を噴出させて薄紙板１８および蓋板１０を破断させるのである。すなわち、この噴出体発射器１ｂは、あたかも打上げ花火を上げたかのような趣を与え、噴出体１３を多量に噴き出すことができる。
【００３１】
そして、例えば図７に示すような噴出体発射器１ｃも本考案に含まれる。この噴出体発射器１ｃでは、側面視でキャノン砲身を模して形成された筒状本体２ｃが用いられる。この筒状本体２ｃは、噴出体１３を収容した直管筒状の噴出体収容部５ｃと、気体放出機構７を収容した直管筒状の操作用筒部３ｃと、操作用筒部３ｃに内蔵された格納用筒部４ｂと、から構成されている。操作用筒部３ｃは角度調節器４２を介して仰角可変に基台４１の上面に支持されている。尚、図７において、前記した噴出体発射器１ｂの構成部品と同じ機能を有する部品には同じ符号を付してある。
この噴出体発射器１ｃによれば、あたかもキャノン砲を発射したような趣を与え、噴出体１３を多量に噴き出すことができる。
【００３２】
このように、噴出体発射器は、筒状本体２，２ａ，２ｂ，２ｃが、銃身、バズーカ砲身、打上げ花火の竪筒、またはキャノン砲身の形状に形成されるので、クラッカー形のものと比べて大型に形成できるから、多くの折り鶴８を含む大量の噴出体１３を噴出することができ、打ち上げる人Ｍも発射の実感を楽しむことができる。
【００３３】
また、上記では、円筒状の筒状本体２を有する噴出体発射器１，１ａ，１ｂ，１ｃを例示したが、本考案に係る噴出体発射器の筒状本体はそれらの形状に限られない。例えば、角筒状の筒状本体を有する噴出体発射器であっても構わない。
【００３４】
また、上記では結婚式で使用した例を示したが、本考案に係る噴出体発射器はそれに限定されない。例えば、誕生パーティー、卒業パーティー、当選パーティーなど各種の祝賀会にも好適に使用できることは言うまでもない。
【符号の説明】
【００３５】
１，１ａ，１ｂ，１ｃ  噴出体発射器
２，２ａ，２ｂ，２ｃ  筒状本体
２Ｄ  噴出用開口
３，３ａ，３ｂ，３ｃ  操作用筒部
４，４ｂ  格納用筒部
４Ａ  ボンベ室
４Ｂ  一端開口部
４Ｃ  他端開口部
５，５ａ，５ｂ，５ｃ  噴出体収容筒
６，３３  トリガ
７    気体放出機構
８    折り鶴
８Ａ  翼
１３  噴出体
１７  蓋部材
２８  圧力気体ボンベ
２８Ａ  一端部
２８Ｂ  末端部
２８Ｃ  口金
【図１】
0003193851.tif 000003
【図２】
0003193851.tif 000004
【図３】
0003193851.tif 000005
【図４】
0003193851.tif 000006
【図５】
0003193851.tif 000007
【図６】
0003193851.tif 000008
【図７】
0003193851.tif 000009